(57)【特許請求の範囲】
【請求項１】
鞄（１９）に対するナス環（３）の接触を防ぐための当接板（１）と、前記ナス環（３）を保持するための掛止部（２）と、から構成し、
前記掛止部（２）は当接板（１）の一面側の中間位置に設けてあるとともに、前記当接板（１）の上部には、マチベルト（１１）用の開放された設置スペース（６）を形成し、該設置スペース（６）には、前記マチベルト（１１）を固定するための前記当接板（１）とは分割された保持手段を備え、
前記保持手段は、垂下板（１５）の上下各端縁に、上部片（１６）と下部片（１７）とをそれぞれ当接板（１）側に突出した固定カバー（１３ａ）と、該固定カバー（１３ａ）をマチベルト（１１）及び当接板（１）と共に固定するリベット（１８）とを備え、
固定カバー（１３ａ）は設置スペース（６）との間に、マチベルト（１１）に被さる空間（Ｓ）を形成することを特徴とするナス環吊止具。
【請求項２】
前記保持手段は、マチベルト（１１）を被せたままリベット（１８）で止めることが可能な覆い蓋（１３ｂ）に、鞄用備品として反射部材（１２）と名札の何れか一方を備えていることを特徴とする請求項１記載のナス環吊止具。
【請求項３】
前記設置スペース（６）には、当接板（１）に対するマチベルト（１１）の設置位置を定位置に導くための位置決め手段を設け、位置決め手段は当接板（１）の上方側全部に設ける切欠部（４）と、設置スペース（６）の下端に設ける凸部の何れか一方であることを特徴とする請求項１又は２記載のナス環吊止具。
【発明の詳細な説明】
【０００１】
【発明の属する技術分野】
本発明は鞄に取付けるナス環吊止具に関する。
【０００２】
【従来の技術】
従来のこの種のナス環吊止具には様々な形態のものがあり、その中でも実用新案登録第２５４６９４８号（実開平５−４８７１５号公報）のものは図４に示すように、扁平な当接板２１の一面側に、マチベルト２２の保持部材２３を一体に備えた弾性を有する掛止部２４を設けたナス環吊止具であり、このナス環吊止具は、マチベルトを当接板と保持部材との間に形成された取付空間Ｔに通し、さらに、当接板、マチベルト及び保持部材をリベット２５でかしめることで、鞄にマチベルトを保持するものであった。
【０００３】
しかしながら、上記のようなナス環吊止具は、マチベルトを取付固定する場合には、取付空間Ｔにマチベルトを通さなければならない手間があり、しかも、マチベルトを通した後においても、マチベルト側のリベットの孔２７は保持部材に隠れて作業者がリベットの孔の正確な位置を目で確認できず、当接板側のリベットの孔とマチベルト側のリベットの孔とを勘を頼りに一致させてリベットをかしめなければならず、したがって、マチベルトの鞄への取付作業が非常に面倒になる問題点があった。
【０００４】
さらに、保持部材２３と掛止部２４とが一体化していることで、保持部材２３がマチベルト外面側を部分的に占有し、これにより、前記保持部材に占有されたマチベルトの部分には、反射部材などに代表される鞄用備品などを一切取付けられないので、マチベルトに取付ける前記鞄用備品の大きさや形態がごく限られたものとなり、鞄に対する使用者側の多様な要求に応えられない欠点もあった。
【０００５】
本発明は、マチベルトの鞄への取付作業を効率良く行えるとともに、鞄に対する使用者の多様な要求に応えることが可能なナス環吊止具を提供することにある。
【０００６】
【課題を解決するための手段】
上記目的を達成するために、本発明のうち請求項１記載の発明は、鞄に対するナス環の接触を防ぐための当接板と、前記ナス環を保持するための掛止部と、から構成し、前記掛止部は当接板の一面側の中間位置に設けてあるとともに、前記当接板の上部には、マチベルト用の開放された設置スペースを形成し、該設置スペースには、前記マチベルトを固定するための前記当接板とは分割された保持手段を備え、前記保持手段は、垂下板の上下各端縁に、上部片と下部片とをそれぞれ当接板側に突出した固定カバーと、該固定カバーをマチベルト及び当接板と共に固定するリベットとを備え、固定カバーは設置スペースとの間に、マチベルトに被さる空間を形成することを特徴とする。
【０００７】
ここで、当接板の上部とは、本発明を鞄に取付けた場合の方向を指示するものである。また、掛止部を取付ける中間位置とは、少なくとも掛止部から前記当接板上端縁までに間隔が形成される位置であればよい。さらに、保持手段とは具体的に、設置スペースにマチベルトを押さえ込んだ状態でリベット止めを行える固定カバーや、あるいは、マチベルトに沿って被せるとともに、前記マチベルトに被せたままでリベット止めを行うことが可能な覆い蓋などが挙げられ、マチベルトを設置スペースにしっかりと保持しておける技術的手段のすべてを含んだ概念である。さらに、設置スペースとは、マチベルトを設置するためのスペースであり、具体的に、当接板の一面側全体が扁平な状態であることが望ましいが、少なくとも、マチベルトを当接板に設置する場合に、設置において特別に障害となるものが存在しない程度の開放された状態を提供できるスペースであればよい。
【０００８】
このように形成すると、当接板における掛止部を介した上方側に、マチベルトを設置するための開放された設置スペースが形成され、しかも、保持手段が当接板と分割して形成されているので、マチベルトを当接板に固定する場合に、前記設置スペースにマチベルトを簡単に設置できるとともに、このマチベルトと保持手段との双方の取付位置を作業者が目で確認しながら一致して迅速且つ確実に固定できるので、鞄製造時の作業の飛躍的な効率化をはかれることとなる。
【０００９】
また、本発明のうち請求項２記載の発明のように、前記保持手段には、鞄用備品として反射部材と名札の何れか一方を備えているので、本ナス環吊下具を幅広い使用用途で一層有効に活用することができる。
ここで鞄用備品の反射部材や名札は、マチベルトを設置スペースに保持するための機能を損なわないものであれば、その大きさや形態を特に限定するものではない。
【００１０】
また、本発明のうち請求項３記載の発明のように、前記設置スペースには、当接板に対するマチベルト、及び鞄用備品、係止部材の設置位置を定位置に導くための位置決め手段を設け、位置決め手段は当接板の上方側全部に設ける切欠部と、設置スペースの下端に設ける凸部の何れか一方であることから、マチベルトや鞄用備品を設置スペースの取付位置にしっかりと位置決めした状態で固定ができ、鞄製造時の作業効率が一層効率よく行えることになる。
【００１１】
ここで位置決め手段は、当接板の設置スペースにマチベルト及び鞄用備品を取付ける場合、取付位置を示すガイド的な役割を果たすものであれば、特にその形態を限定するものではない。また、定位置とは具体的に、鞄の使用に際してマチベルトが最も利便性のよい位置を意味するものである。
【００１２】
【発明の実施の形態】
図１乃至図３の各図面に基づいて本発明の実施形態を以下に説明する。
本発明の第１実施形態のナス環吊止具は図１に示すように、縦長形状をなす扁平な当接板１と、この当接板１の一面側にマチベルト１１の設置スペース６を上部に設ける位置に固着するナス環３を保持するための掛止部２と、前記当接板１と分割しているとともに前記設置スペース６にマチベルト１１を保持するための保持手段となる固定カバー１３ａと、からなっており、本実施形態では、本ナス環吊止具を図２のように、ランドセル１９に取付けた場合において説明する。
【００１３】
前記当接板１は、下端側が丸みを帯びているとともに、上端側はフラットで扁平な縦長部材であり、さらに、この当接板１は合成樹脂を素材として使用するもので、これにより前記当接板１は、ランドセル１９の皮革の動きに対応して変形と復帰が可能な弾性を有することとなる。また、この当接板１の表面側における中央やや上方寄りの位置には、該当接板１を上下に区画する切欠部４が形成されており、この切欠部４によって当接板１の上方側のスペース６全領域は、該当接板１の切欠部４の下方側スペースに比べて僅かに肉薄に形成され、これにより、当接板１の上方側が下方側と比較して凹状の段差状をなし、これがマチベルト１１の位置決め手段となる。また、当接板１の上端側と下端側の間隔をあけた各２箇所には、リベット孔７，７がそれぞれに貫通しており、この各リベット孔７，７にリベット１８を通してランドセル１９の皮革とともにかしめることで、ランドセル１９への本ナス環吊止具の固定、及びマチベルト１１の保持を可能としている。
尚、当接板１はゴム素材で形成することも可能であり、取付時にランドセル１９の皮革の変形に対応できる程度の弾性を保有する素材であれば、特に限定するものではない。
【００１４】
また掛止部２は、約１ｍｍ厚程度の肉薄の前記当接板１と同素材の合成樹脂片を上向きフック状に曲げ加工し、先端に弾性を付与してあるもので、この掛止部２は、上記当接板１の切欠部４下端縁を基準にして、該掛止部２の最頂部が前記下端縁よりも上方に突出しない下方側の位置において、当接板１の前方に突出した状態で一体成形してある。
【００１５】
そして前記掛止部２の曲げの内部には、当接板１の左右方向に貫通した断面円形状の保持空間１０が形成されており、この保持空間１０には、ナス環３のリング状取付部材９が当接板１を基準とし、前後に自由に揺動できる状態で保持されている。さらに、この保持空間１０の当接板１側には、前記掛止部２との間に僅かな隙間が設けてあるとともに、前記保持空間１０内と連続した取付口Ｒが該掛止部２の上方に向かって開口している。これにより、この取付口Ｒにおいてナス環３の取付部材９を掛止部２を押し拡げるように弾性的に保持空間１０内に通すことができるとともに、前記ナス環３を掛止部２から取り外す場合においても、この掛止部２の先端を保持空間１０側に押し拡げながら、ナス環３の取付部材９を前記取付口Ｒから弾性的に取り外すことが可能となる。
【００１６】
前記固定カバー１３ａは、中央にリベット孔７を貫通した垂下板１５の上下各端縁に、上部片１６と下部片１７とをそれぞれ当接板１側に突出した断面コ字型をなしており、さらに、前記上部片１６が下部片１７に比べて当接板１の厚み分だけ長く突出し、これにより、前記当接板１の設置スペース６にマチベルト１１を設置した状態にあるときは、まず、上部片１６が当接板１の上端縁とマチベルト１１の上端縁に沿って引っ掛かり、一方、下部片１７が設置スペース６の下方側に当接し、マチベルト１１に被さる状態で一致した方形の空間Ｓを形成することとなる。
【００１７】
このように形成することで、当接板１の設置スペース６に該当接板１、マチベルト１１の各々のリベット孔７，７同士を一致するように前記マチベルト１１を位置決めした後、あらかじめ固定カバー１３ａ側のリベット孔７にリベット１８を通し、さらに、このリベット１８の先端部を前記のように一致した各リベット孔７，７，７に通して最後にリベット１８をかしめることにより、マチベルト１１の取付作業のすべてが作業者の目で確認できる範囲で行えるので、マチベルト１１を簡単にランドセル１９に保持することが可能となる。
【００１８】
次に図３に示すものは、本発明の第２実施形態を示すもので、このナス環吊止具は、設置スペース６に備えたマチベルト１１に沿って左右に長い合成樹脂製の覆い蓋１３ｂを被せ、しかも、この覆い蓋１３ｂの右側端部に貫通するリベット孔７と、当接板１及びマチベルト１１側の各リベット孔７，７にリベット１８を通してかしめたものであり、さらに、前記覆い蓋１３ｂの外面側には、夜間の安全確保のための反射部材１２が備えてある。
【００１９】
このように形成すると、覆い蓋１３ｂがマチベルト１１に被さった状態でリベット１８により設置スペース６に強固に固定されるととともに、覆い蓋１３ｂの外面側に反射部材１２を備えることで使用者の安全を確保する手段としての効果をも発揮することとなる。
尚、前記覆い蓋１３ｂに反射部材１２以外においても、例えば名札などを取付けることができ、これにより、使用者の好みに合わせて様々な用途、形態をなす備品を取付けることが可能となる。
【００２０】
【発明の効果】
本発明によれば、マチベルトの保持手段を当接板と分割して備えてあるので、前記マチベルトの鞄への取付作業が従来に比べて格段に効率よく行えるとともに、該マチベルトに様々な形態や大きさの備品を自由に取付けることができ、鞄に対する使用者の様々な要求に広く応えることが可能となる。
【図面の簡単な説明】
【図１】本発明の第1実施形態のナス環吊止具を示す斜視図である。
【図２】本発明の第1実施形態のナス環吊止具をランドセルに取付けた状態を示す説明図である。
【図３】本発明の第２実施形態のナス環吊止具を示す斜視図である。
【図４】従来のナス環吊止具を示す斜視図である。
【符号の説明】
１  当接板
２  掛止部
３  ナス環
４  切欠部（位置決め手段）
６  設置スペース
１１  マチベルト
１２  反射部材（鞄用備品）
１３ａ  固定カバー（保持手段）
１３ｂ  覆い蓋（保持手段）
１８  リベット（保持手段）
１９  ランドセル（鞄）
【図１】
0003566631.tif 000002
【図２】
0003566631.tif 000003
【図３】
0003566631.tif 000004
【図４】
0003566631.tif 000005